(57)【要約】【課題】真空スイッチギヤシステムの小型化とコスト低減を図ること。【解決手段】断路器スイッチ又は負荷開閉器、接地開閉器、真空遮断器殻選ばれた複数のスイッチを収容する真空容器を有する複数の真空スイッチギヤを有し、上記真空スイッチギヤは接続端子を有し、上記真空スイッチギヤは異なった型の真空スイッチギヤを構成し、上記スイッチギヤは受電側と配電側に分けられ、上記真空スイッチギヤは隣接する真空スイッチギヤ、避雷器及びＰＣＴから選ばれた要素と両端に接続端子を有する絶縁接続導体を介して接続され、上記端子は真空スイッチギヤの端子と接続又は切り離し可能である、真空スイッチギヤシステム。【選択図】図１０
2005210886.tif 000002
【特許請求の範囲】
【請求項１】
断路器スイッチ又は負荷開閉器、接地開閉器、真空遮断器から選ばれた複数のスイッチを収容する真空容器を有する複数の真空スイッチギヤを有し、
上記真空スイッチギヤは接続端子を有し、
上記真空スイッチギヤは異なった型の真空スイッチギヤを構成し、
上記真空スイッチギヤは受電側と配電側に分けられ、
上記真空スイッチギヤは隣接する真空スイッチギヤ、避雷器及びＰＣＴから選ばれた要素と両端に接続端子を有する絶縁接続導体を介して接続され、
上記端子は真空スイッチギヤの端子と接続又は切り離し可能である、
真空スイッチギヤシステム。
【請求項２】
接続導体を取り囲んでいる絶縁体は、隣接する上記真空容器及び／又は上記要素との絶縁耐力を確保するのに十分な長さを有する請求項１記載の真空スイッチギヤシステム。
【請求項３】
上記異なった型のスイッチギヤは、
それぞれ接地開閉器と真空遮断器と連携した２つの断路器スイッチ又は負荷開閉器を有するＡ型スイッチギヤ、
１つの接地開閉器と真空遮断器を有するＢ型スイッチギヤ、
それぞれ接地開閉器と連携した３つの断路器又は負荷開閉器を有するＣ型スイッチギヤ、及び
それぞれ接地開閉器と連携した２つの断路器又は負荷開閉器を有するＤ型スイッチギヤ、
を備える請求項１記載の真空スイッチギヤシステム。
【請求項４】
それぞれ接地開閉器と真空遮断器と連携した２つの断路器スイッチ又は負荷開閉器を有するＡ型真空スイッチギヤ、
１つの接地開閉器と真空遮断器を有するＢ型真空スイッチギヤ、
それぞれ接地開閉器と連携した３つの断路器又は負荷開閉器を有するＣ型真空スイッチギヤ、及び
それぞれ接地開閉器と連携した２つの断路器又は負荷開閉器を有するＤ型真空スイッチギヤ、
を含む真空スイッチギヤシステムの組み立て用集合体。
【請求項５】
それぞれ接地開閉器と真空遮断器と連携した２つの断路器スイッチ又は負荷開閉器を有するＡ型真空スイッチギヤ、
１つの接地開閉器と真空遮断器を有するＢ型真空スイッチギヤ、及び
それぞれ接地開閉器と連携した２つの断路器又は負荷開閉器を有するＤ型真空スイッチギヤ、
を含む真空スイッチギヤシステムの組み立て用集合体。
【請求項６】
それぞれ真空容器内に収容された接地開閉器と真空遮断器と連携した２つの断路器スイッチ又は負荷開閉器を有する、複数の真空スイッチギヤを備えた真空スイッチギヤシステム用Ａ型真空スイッチギヤ。
【請求項７】
真空容器内に収容された１つの接地開閉器と真空遮断器を有する、複数の真空スイッチギヤを備えた真空スイッチギヤシステム用Ｂ型真空スイッチギヤ。
【請求項８】
それぞれ真空容器内に収容された接地開閉器と連携した３つの断路器又は負荷開閉器を有する、複数の真空スイッチギヤを備えた真空スイッチギヤシステム用Ｃ型真空スイッチギヤ。
【請求項９】
それぞれ真空容器内に収容された接地開閉器と連携した２つの断路器又は負荷開閉器を有する、複数の真空スイッチギヤを備えた真空スイッチギヤシステム用Ｄ型真空スイッチギヤ。
【請求項１０】
異なった型の真空スイッチギヤを有し、それぞれの真空スイッチギヤは１つの真空容器に収容され、異なった型の真空スイッチギヤは、
それぞれ接地開閉器と真空遮断器と連携した２つの断路器スイッチ又は負荷開閉器を有するＡ型真空スイッチギヤ、
１つの接地開閉器と真空遮断器を有するＢ型真空スイッチギヤ、
それぞれ接地開閉器と連携した３つの断路器又は負荷開閉器を有するＣ型真空スイッチギヤ、及び
それぞれ接地開閉器と連携した２つの断路器又は負荷開閉器を有するＤ型真空スイッチギヤ、
である真空スイッチギヤシステム。
【請求項１１】
隣接する真空容器及び／又は避雷器又はＰＣＴから選ばれた要素は、絶縁された接続導体と着脱可能に互いに電気的に接続されている請求項１０記載の真空スイッチギヤシステム。
【請求項１２】
上記スイッチギヤシステムは受電側と配電側を有し、両者はＰＣＴを介して接続されている請求項１０記載の真空スイッチギヤシステム。
【請求項１３】
それぞれ１つの真空容器に異なった型のスイッチギヤを有し、それぞれ接地開閉器と真空遮断器と連携した２つの断路器スイッチ又は負荷開閉器を有するＡ型真空スイッチギヤ、
１つの接地開閉器と真空遮断器を有するＢ型真空スイッチギヤ、及び
それぞれ接地開閉器と連携した２つの断路器又は負荷開閉器を有するＤ型真空スイッチギヤ、
を有する真空スイッチギヤシステム。
【請求項１４】
隣接する真空容器及び／又は避雷器又はＰＣＴから選ばれた要素は、絶縁された接続導体と着脱可能に互いに電気的に接続されている請求項１３記載の真空スイッチギヤシステム。
【請求項１５】
上記真空スイッチギヤシステムは受電側と配電側を有し、両者はＰＣＴを介して接続されている請求項１３記載の真空スイッチギヤシステム。
【発明の詳細な説明】
【技術分野】
【０００１】
本発明は、真空スイッチギヤシステム及び真空スイッチギヤを構成する要素機器の集合体に係り、特に、真空容器内に収納された所定の型の複数の開閉器と、各開閉器を操作するための操作器とを有する真空スイッチギヤを複数台備え、電力系統の受配電設備として用いるに好適な真空スイッチギヤシステムに関する。
【背景技術】
【０００２】
電力系統のうち配電系統には受配電設備の一要素としてスイッチギヤが設けられている。従来、この種のスイッチギヤとしては、遮断器、断路器などの各機器を接続する導体や母線を気中で接続するとともに、気中で絶縁する気中絶縁方式のものが多く採用されていた。この場合、小型化を図るため、絶縁媒体として、ＳＦ６ガスを用いたガス絶縁方式のものが多く採用されている。ところが、絶縁媒体にＳＦ６ガスを用いると、環境に悪影響を与える恐れがあるため、近年、絶縁媒体として、真空絶縁を用いた真空絶縁方式のものが提案されている。
【０００３】
真空絶縁方式のスイッチギヤとしては、例えば、真空容器内に、固定電極と可動電極とが相対向して配置された主回路開閉部が複数収納され、可動電極が母線側導体に接続され、定電極が負荷側導体に接続され、各主回路開閉部がアークシールドで覆われ、各母線側導体が可撓性導体（フレキシブル導体）を介して接続されるように構成されたものがある（特許文献１、第３頁〜第６頁、図１〜図３参照）。この真空スイッチギヤによれば、真空絶縁方式を採用しているため、ガス絶縁方式のものよりも絶縁距離を短くすることができ、真空スイッチギヤをコンパクト化することができる。
【０００４】
【特許文献１】特開２０００−２６８６８５号公報
【発明の開示】
【発明が解決しようとする課題】
【０００５】
上記従来技術においては、各主回路開閉部がアークシールドで覆われているため、短絡事故時などにおいて、トリップ動作が実行されて、可動電極と固定電極とが離れたときに、各電極から金属蒸気が発生しても、金属蒸気をアークシールドによって遮蔽することができるようになっている。しかし、真空スイッチギヤを用いて受電側配電盤や送電側配電盤を構成するに際して、各種の回路仕様に合わせて各種の開閉器を収納した真空容器を組み合わせることについては十分配慮されていない。
【０００６】
従来の真空スイッチギヤシステムにおいては、１つの真空容器に必要なスイッチを収容し、それぞれのスイッチギヤが必要な機能を全て達成できるように構成されている。しかし、例えば送配電系統の中で、ユーザーや条件によってニーズが異なることが多い。もし全ての真空スイッチギヤが回路にとって必要な要素を全て備えているとすれば、必要以上の要素を備えることになる。更に、全てのスイッチギヤが多くの要素を備えているとスイッチギヤの体積が大きくなり、また高価になる。
【０００７】
本発明の課題は、真空スイッチギヤシステム及びそれを構成するための主要な構成要素の集合体を提供することであり、目的は真空スイッチギヤシステムの小型化とコスト低減を図ることである。
【課題を解決するための手段】
【０００８】
本発明は、断路器スイッチ又は負荷開閉器、接地開閉器、真空遮断器から選ばれた複数のスイッチを収容する真空容器を有する複数の真空スイッチギヤを有し、上記真空スイッチギヤは接続端子を有し、上記真空スイッチギヤは異なった型の真空スイッチギヤを構成し、上記真空スイッチギヤは受電側と配電側に分けられ、上記真空スイッチギヤは隣接する真空スイッチギヤ、避雷器及びＰＣＴから選ばれた要素と両端に接続端子を有する絶縁接続導体を介して接続され、上記端子は真空スイッチギヤの端子と接続又は切り離し可能である、真空スイッチギヤシステムを提供するものである。上記真空スイッチギヤシステムにおいて、接続導体を取り囲んでいる絶縁体は、隣接する上記真空容器及び／又は上記要素との絶縁耐力を確保するのに十分な長さを有することが望ましい。
【０００９】
また、上記異なった型の真空スイッチギヤは、それぞれ接地開閉器と真空遮断器と連携した２つの断路器スイッチ又は負荷開閉器を有するＡ型真空スイッチギヤ、１つの接地開閉器と真空遮断器を有するＢ型真空スイッチギヤ、それぞれ接地開閉器と連携した３つの断路器又は負荷開閉器を有するＣ型真空スイッチギヤ、及びそれぞれ接地開閉器と連携した２つの断路器又は負荷開閉器を有するＤ型真空スイッチギヤを備えることが望ましい。
【００１０】
本発明はまた、それぞれ接地開閉器と真空遮断器と連携した２つの断路器スイッチ又は負荷開閉器を有するＡ型真空スイッチギヤ、１つの接地開閉器と真空遮断器を有するＢ型真空スイッチギヤ、それぞれ接地開閉器と連携した３つの断路器又は負荷開閉器を有するＣ型真空スイッチギヤ、及びそれぞれ接地開閉器と連携した２つの断路器又は負荷開閉器を有するＤ型真空スイッチギヤを含む真空スイッチギヤシステムの組み立て用集合体を提供するものである。
【００１１】
更に、本発明は、それぞれ接地開閉器と真空遮断器と連携した２つの断路器スイッチ又は負荷開閉器を有するＡ型真空スイッチギヤ、１つの接地開閉器と真空遮断器を有するＢ型真空スイッチギヤ、及びそれぞれ接地開閉器と連携した２つの断路器又は負荷開閉器を有するＤ型真空スイッチギヤを含む真空スイッチギヤシステムの組み立て用集合体を提供するものである。
【００１２】
本発明によれば、それぞれ真空容器内に収容された接地開閉器と真空遮断器と連携した２つの断路器スイッチ又は負荷開閉器を有する、複数の真空スイッチギヤを備えた真空スイッチギヤ用Ａ型真空スイッチギヤ、真空容器内に収容された１つの接地開閉器と真空遮断器を有する、複数の真空スイッチギヤを備えた真空スイッチギヤ用Ｂ型真空スイッチギヤ、それぞれ真空容器内に収容された接地開閉器と連携した３つの断路器又は負荷開閉器を有する、複数の真空スイッチギヤを備えた真空スイッチギヤ用Ｃ型真空スイッチギ、及びそれぞれ真空容器内に収容された接地開閉器と連携した２つの断路器又は負荷開閉器を有する、複数の真空スイッチギヤを備えた真空スイッチギヤ用Ｄ型真空スイッチギヤが提供される。
【００１３】
本発明はさらに、異なった型の真空スイッチギヤを有し、それぞれの真空スイッチギヤは１つの真空容器に収容され、異なった型の真空スイッチギヤは、それぞれ接地開閉器と真空遮断器と連携した２つの断路器スイッチ又は負荷開閉器を有するＡ型真空スイッチギヤ、１つの接地開閉器と真空遮断器を有するＢ型真空スイッチギヤ、それぞれ接地開閉器と連携した３つの断路器又は負荷開閉器を有するＣ型真空スイッチギヤ、及びそれぞれ接地開閉器と連携した２つの断路器又は負荷開閉器を有するＤ型真空スイッチギヤである真空スイッチギヤシステムを提供する。
【００１４】
上記真空スイッチギヤシステムにおいて、隣接する真空容器及び／又は避雷器又はＰＣＴから選ばれた要素は、絶縁された接続導体と着脱可能に互いに電気的に接続されていることが望ましい。さらに、上記真空スイッチギヤシステムは受電側と配電側を有し、両者はＰＣＴを介して接続されていることができる。
【００１５】
また、本発明は、それぞれ１つの真空容器に異なった型の真空スイッチギヤを有し、それぞれ接地開閉器と真空遮断器と連携した２つの断路器スイッチ又は負荷開閉器を有するＡ型真空スイッチギヤ、１つの接地開閉器と真空遮断器を有するＢ型真空スイッチギヤ、及びそれぞれ接地開閉器と連携した２つの断路器又は負荷開閉器を有するＤ型真空スイッチギヤを有する真空スイッチギヤシステムを提供する。上記真空スイッチギヤシステムにおいて、隣接する真空容器及び／又は避雷器又はＰＣＴから選ばれた要素は、絶縁された接続導体と着脱可能に互いに電気的に接続されていることができる。上記スイッチギヤシステムは受電側と配電側を有し、両者はＰＣＴを介して接続されていてもよい。
【００１６】
本発明は、複数の開閉器と各開閉器を互いに接続する複数の内部導体をそれぞれ回路仕様にしたがって収納する真空容器を複数台用意するとともに、各開閉器にそれぞれ操作ロッドを介して操作器を連結し、指定の内部導体にケーブルヘッドを接続してその一部を真空容器外に突出し、各真空容器の組み合わせに従って受電側回路または送電側回路を構成するようにしたものである。
【００１７】
前記した手段によれば、各真空容器内に回路仕様にしたがって複数の開閉器と各開閉器を互いに接続する内部導体を収納し、各種回路仕様（回路構成）に合わせて各真空容器を組み合わせるようにしたため、ニーズに対応したシステムを構築することができる。
【発明の効果】
【００１８】
本発明によれば、ニーズに対応したシステムを構築することができ、真空スイッチギヤシステムの小型化とコスト低減が可能となる。
【発明を実施するための最良の形態】
【００１９】
以下、本発明の一実施形態を図面に基づいて説明する。本発明の真空スイッチギヤの典型的な具体的な構成の１つは、ＰＣＴ１０を間にして受電側配電盤１２に真空スイッチギヤ１６、１８を交互に配置し、送電側配電盤１４には真空スイッチギヤ２２、１８、２０を配置し、各真空スイッチギヤ１６〜２２の真空容器２４、３０、４０、４２内に、回路仕様に合わせて各種の開閉器として、負荷開閉器４４、接地用開閉器４６、遮断器４８を収納し、各開閉器に操作器２６を連結し、真空容器２４から突出されたケーブルヘッド２８に接続導体３２を介して避雷器３４を接続し、各真空容器２４、３０、４０、４２のうち指定のケーブルヘッド２８にケーブル３８ａ〜３８ｉを接続し、各真空容器間をケーブルヘッド２８、外部接続導体３６を介して接続し、顧客のニーズに合わせた回路構成とするものである。
【００２０】
前述のように、本発明においては、４つ又は３つのタイプの真空スイッチギヤが用いられる。この複数の型の真空スイッチギヤがユーザーのニーズに応じて所望の真空スイッチギヤシステムが構築される。
【００２１】
第１の型の真空スイッチギヤシステムにおいては、Ａタイプの真空スイッチギヤ、Ｂタイプの真空スイッチギヤ、Ｃタイプの真空スイッチギヤ及びＤタイプの真空スイッチギヤが用いられる。この第１のタイプの真空スイッチギヤシステムは、ループ受電回線に用いられる。これは主として、半導体製造工場などで用いられる。この型の電力線は、停電が許されないケースに用いられる。
【００２２】
第２のタイプのスイッチは１回線受電用システムに用いられ、停電が許される分野に用いられる。
【００２３】
第１の型の真空スイッチギヤシステムは、Ａ，Ｂ，Ｃ及びＤタイプの真空スイッチギヤの組み合わせで構成される。第２のタイプの真空スイッチギヤシステムは、Ａ，Ｂ及びＤタイプの真空スイッチギヤで構成される。
【００２４】
Ａタイプの真空スッチギヤは、２つの断路器又は負荷側遮断器と１つの真空遮断器を含む。それぞれの断路器又は負荷側遮断器では、接地開閉器と接続されている。従って、Ａタイプの真空スイッチギヤは、１つの真空容器内に、５つのスイッチが収容されている。
【００２５】
Ａタイプの真空スイッチギヤは、受電側に用いられ、（ｉ）受電する、（ｉｉ）落雷からシステムを保護するため、避雷器と連携する、（ｉｉｉ）受電線が２以上あるときは、Ｃタイプの真空スイッチギヤに接続されるという機能を持っている。
【００２６】
Ｂタイプの真空スッチギヤは、接地開閉器と連携した１つの真空遮断器を有し、それは真空遮断器を介して電力を伝送する。
【００２７】
Ｃタイプの真空スイッチギヤは、３つの断路器又は真空遮断器を有する。Ｃタイプの真空スイッチギヤは、Ａタイプの真空スイッチギヤとＰＣＴ又はＤタイプの真空スイッチギヤとＢタイプの真空スッチギヤとを接続する機能を有する。もし回線が１回線ならば、Ｃタイプの真空スイッチギヤは不要である。それぞれの断路器又は真空遮断器は接地開閉器と連携されている。
【００２８】
Ｄタイプの真空スイッチギヤは、２つの断路器又は負荷側遮断器を有し、それらは接地開閉器と連携されている。Ｄタイプの真空スイッチギヤは、配電側に使用される。Ｄタイプの員空スイッチギヤの機能は、ＰＣＴと接続することである。電力線が１回線でない限り、Ａ及びＣタイプは受電側に用いられ、Ｂ，Ｃ及びＤタイプは送電側に用いられる。
【００２９】
要約すれば、本発明の真空スイッチギヤシステムの構成は、以下のように示される。
（１）１回線回路ではＡタイプの真空スイッチギヤ、ＰＣＴ，Ｄタイプの真空スイッチギヤ、Ｂタイプの真空スイッチギヤで構成される（図９参照）。
（２）ループ受電線又は主回線では、Ａタイプの真空スイッチギヤとＣタイプの真空スイッチギヤとを含み、ＰＣＴに接続された１対のユニットを有し、そのＰＣＴはＤタイプの真空スイッチギヤと、Ｃタイプの真空スイッチギヤに接続されている。また、Ｃタイプの真空スイッチギヤはＢタイプの真空スイッチギヤと並列に接続されている（図１０参照）。
【００３０】
上記（２）の場合、送電側のＣタイプの真空スイッチギヤの数は、回線数に応じて増加する。従って、ユニットＣ−２（Ｂ）の数は、回線数に応じて増加する。
【００３１】
本発明によれば、本発明の主要な利点は、以下のとおりである。
（ｉ）真空スイッチギヤシステムをユーザーのニーズに合わせて構築することができる。（ｉｉ）１つの真空容器に収容される要素の数が小さいので、真空容器の体積は小さくなる。従って、真空スイッチギヤの信頼性も従来の集積型真空スイッチギヤよりも高くなる。（ｉｉｉ）種々の真空スイッチギヤシステムがユーザーのニーズに応じて構築できる。
（ｉｖ）最低限必要な要素のみを真空容器に収容できるので、真空スイッチギヤシステムが小型化される。
（ｖ）真空スイッチギヤが少ない要素で構成されているので、コストが低減できる。
（ｖｉ）真空スイッチギヤが小型で軽量化されるので、特許文献１に記載されているものと比べてシステムの組み立てが容易である。
（ｖｉｉ）受電側と送電側が分離されているので、信頼性が高まる。
（ｖｉｉｉ）検査及び修理が容易に行え、また欠陥の生じた真空スイッチギヤを交換又は修理するのが容易なので、メンテナンス作業の簡素化とコストが低減される。
【００３２】
図１は、本発明に係る真空スイッチギヤシステムを構成する受配電設備の内部構成図、図２は、図１に示す受配電設備の回路構成図、図３は、図１に示す受配電設備の正面図である。
【００３３】
図１から図３において、受配電設備は、ＰＣＴ１０を介して、受電側配電盤１２と送電側配電盤１４を備えて構成されている。受電側配電盤１２は、２種類（Ａタイプ、Ｃタイプ）の真空スイッチギヤ１６、１８が２台ずつ回路仕様（回路構成）にしたがって配置されており、送電側配電盤１４には、３種類（Ｂタイプ、Ｃタイプ、Ｄタイプ）の真空スイッチギヤ１８、２０、２２が回路仕様（回路構成）にしたがって配置されている。
【００３４】
Ａタイプの真空スイッチギヤ１６は、受電側真空容器２４、複数の操作器２６、複数のケーブルヘッド２８を備えて構成されており、Ｃタイプの真空スイッチギヤ１８は、受電側真空容器３０、複数の操作器２６、複数のケーブルヘッド２８を備えて構成されている。Ａタイプの真空スイッチギヤ１６とＣタイプの真空スイッチギヤ１８は交互に配置されている。各真空スイッチギヤ１６、１８に装着されたケーブルヘッド２８のうち真空スイッチギヤ１６の左端にある特定のケーブルヘッド２８には、周囲が固体絶縁物で保護された避雷器用接続導体３２を介して避雷器（アレスタ）３４に接続されており、他のケーブルヘッド２８のうち右端にあるケーブルヘッド２８は周囲が固体絶縁物で保護された外部接続導体３６を介して相隣接する真空スイッチギヤ１８のケーブルヘッド２８に接続されている。
【００３５】
また、真空スイッチギヤ１６のケーブルヘッド２８のうち、ほぼ中間に配置されたケーブルヘッド２８は、周囲が可撓性絶縁物で保護されたケーブル３８ａ、３８ｂを介して母線側導体に接続されており、真空スイッチギヤ１８のケーブルヘッド２８のうち中間に位置するケーブルヘッド２８は、周囲が可撓性絶縁物で保護されたケーブル３８ｃを介して互いに接続されている。また真空スイッチギヤ１８のうち一方の真空スイッチギヤ１８の右端にあるケーブルヘッド２８は、周囲が可撓性絶縁物で保護されたケーブル３８ｄを介してＰＣＴ１０のコイル端子に接続されている。ＰＣＴ１０に隣接した真空スイッチギヤ１８の右端にあるケーブルヘッド２８はケーブル３８ｅを介して真空スイッチギヤ２２のケーブルヘッド２８に接続されている。
【００３６】
一方、送電側におけるＢタイプの真空スイッチギヤ２０は送電側真空容器４０、複数の操作器２６、複数のケーブルヘッド２８を備えて構成されており、Ｄタイプの真空スイッチギヤ２２は、送電側真空容器４２と、複数の操作器２６、複数のケーブルヘッド２８を備えて構成されている。送電側におけるＣタイプの真空スイッチギヤ１８は、受電側における真空スイッチギヤ１８と同じ構成であり、この場合、真空容器３０は送電側真空容器として構成されている。
【００３７】
真空スイッチギヤ１８のケーブルヘッド２８のうち左端に配置されたケーブルヘッド２８は、外部接続導体３６を介して、相隣接する真空スイッチギヤ２２のケーブルヘッド２８に接続され、真空スイッチギヤ１８の中間に位置するケーブルヘッド２８は、ケーブル３８ｆを介してＰＣＴ１０のコイル端子に接続され、右端に配置されたケーブルヘッド２８は、外部接続導体３６を介して、相隣接する真空スイッチギヤ２０のケーブルヘッド２８に接続されている。Ｄタイプの真空スイッチギヤ２２におけるケーブルヘッド２８のうち左端に配置されたケーブルヘッド２８は、ケーブル３８ｅに接続され、中間に位置するケーブルヘッド２８は、ケーブル３８ｇを介して、右端の真空スイッチギヤ２０のケーブルヘッド２８に接続されている。また各真空スイッチギヤ２０の右端に配置されたケーブルヘッド２８はそれぞれケーブル３８ｈ、３８ｉを介して負荷側導体に接続されている。
【００３８】
各真空スイッチギヤ１６、１８における受電側真空容器２４、３０と各真空スイッチギヤ１８、２０、２２における送電側真空容器３０、４０、４２には、複数の開閉器と各開閉器を互いに接続する複数の内部導体が受電側回路または送電側回路の仕様、すなわち２回路、３回路または４回路のうちいずれかの回路仕様にしたがって収納されている。
【００３９】
具体的には、図４に示すように、真空スイッチギヤ１６の真空容器２４内には、複数の開閉器として、負荷開閉器４４、接地用開閉器４６、遮断器４８が回路仕様（回路構成）にしたがって収納されているとともに、各開閉器を回路仕様（回路構成）にしたがって互いに接続するための内部導体５０、５２、５４、５６、５８、６０、６２が収納されている。そして負荷開閉器４４、接地用開閉器４６、遮断器４８は、往復動（上下動）可能に配置された操作ロッド２６ａを介して操作器２６に連結されている。
【００４０】
一対の負荷開閉器４４は、可動電極４４ａ、固定電極４４ｂを備えて構成されている。各可動電極４４ａはフレキシブル導体（可撓性導体）６４を介して内部導体５０に接続されており、一方の固定電極４４ｂは内部導体５６に接続され、他方の固定電極４４ｂは内部導体６０に接続されている。内部導体６０は、絶縁性の支持部材６６を介して下部板材６８に支持されている。
【００４１】
一対の接地用開閉器４６は可動電極４６ａ、固定電極４６ｂを備えて構成されており、各可動電極４６ａはフレキシブル導体６４を介して内部導体５２に接続されており、内部導体５２は接地端子（図示せず）に接続されている。また各固定電極４６ｂのうち一方の固定電極４６ｂは内部導体５８に接続され、他方の固定電極４６ｂは内部導体６０に接続されている。内部導体５８は支持部材６６を介して下部板材６８によって支持されているとともに、導電性のロッド７０に接続されており、ロッド７０は内部導体５０に接続されている。またロッド７０の上部側は絶縁性の支持ロッド７２、ロッド７４を介して上部板材７６に連結されている。
【００４２】
遮断器４８は、可動電極４８ａ、固定電極４８ｂを備えて構成されており、可動電極４８ａはフレキシブル導体６４を介して内部導体５４に接続され、内部導体５４はロッド７８を介して内部導体６０に接続されている。固定電極４８ｂは内部導体６２に接続されている。
【００４３】
また、真空容器２４には、一方の負荷開閉器４４、ロッド７０、遮断器４８に対応してケーブルヘッド２８が配置されており、各ケーブルヘッド２８は、下部板材６８の貫通孔８０からその一部が真空容器２４外部に突出された状態で且つ、真空容器２４に対して絶縁された状態で下部板材６８に固定されている。
【００４４】
各ケーブルヘッド２８は、銅を用いて円柱状に形成された導体８２、導体８２の周囲を覆うセラミックス製の絶縁性ブッシング８４を備えて構成されており、導体８２の軸方向端部には、ネジ部８６が形成されている。各ケーブルヘッド２８のネジ部８６には、図５に示すように、接続導体３２、ケーブル３８ａ〜３８ｉ、外部接続導体３６のネジ部が接続されるようになっている。すなわち、接続導体３２とケーブル３８ａ〜３８ｉおよび外部接続導体３６のケーブルヘッド２８との接続部はそれぞれ同一形状に形成されており、接続導体３２、ケーブル３８ａ〜３８ｉ、外部接続導体３６はいずれも任意のケーブルヘッド２８と接続可能になっている。
【００４５】
また、操作ロッド２６ａの上部側は筒状のベローズ８８、円盤状のベース９０で覆われており、ベローズ８８は上部板材７６の内壁面に固定され、ベローズ８８は上部板材７６の表面に固定されている。
【００４６】
真空スイッチギヤ１８の真空容器３０内には、図６に示すように、負荷開閉器４４、接地用開閉器４６が３台ずつ収納されていると共に、複数の内部導体５８、９２、９４が収納されている。各接地用開閉器４６の可動電極４６ａは内部導体９２を介して互いに接続され、固定電極４６ｂは、相隣接する負荷開閉器４４の固定電極４４ｂに内部導体５８を介して接続されている。各負荷開閉器４４の可動電極４４ａはフレキシブル導体６４を介して内部導体９４に接続され、固定電極４４ｂはケーブルヘッド２８の導体８２に接続されている。
【００４７】
真空スイッチギヤ２０の真空容器４０には、図７に示すように、接地用開閉器４６、遮断器４８が１台ずつ収納されているとともに、内部導体５６、５８、９６、９８が収納されている。接地用開閉器４６の可動電極４６ａはフレキシブル導体６４、内部導体９６を介して接地端子に接続されている。遮断器４８の可動電極４８ａはフレキシブル導体６４、内部導体９８、ロッド７０を介してケーブルヘッド２８の導体８２に接続されている。
【００４８】
固定電極４８ｂはケーブルヘッド２８の導体８２に接続されているとともに、内部導体５８を介して接地用開閉器４６の固定電極４６ｂに接続されている。
【００４９】
真空スイッチギヤ２２の真空容器４２には、図８に示すように、負荷開閉器４４と接地用開閉器４６が２台ずつ収納されているとともに、内部導体５６、５８、９６、９８が収納されている。各負荷開閉器４４の可動電極４４ａはフレキシブル導体６４を介して内部導体９８に接続されており、内部導体９８はロッド７０を介してケーブルヘッド２８の導体８２に接続されている。また各負荷開閉器４４の固定電極４４ｂは内部導体５８を介して接地用開閉器４６の固定電極４６ｂに接続されているとともに、ケーブルヘッド２８の導体８２に接続されている。各接地用開閉器４６の可動電極４６ａはそれぞれフレキシブル導体６４、内部導体９６を介して接地端子に接続されている。
【００５０】
本実施形態によれば、各真空スイッチギヤ１６、１８、２０、２２の真空容器２４、３０、４０、４２内に回路仕様（回路構成）にしたがって負荷開閉器４４、接地用開閉器４６、遮断器４８、内部導体５０、５４、５６、５８、６０、６２などを収納するようにしたため、各真空スイッチギヤを回路仕様（回路構成）に合わせて任意に組み合わせることで、顧客のニーズに対応させることができる。
【００５１】
また、各種の開閉器が真空容器２４、３０、４０、４２内に収納されているため、真空スイッチギヤを小型化することができる。さらに、ケーブルヘッド２８に接続導体３２、ケーブル３８ａ〜３８ｉ、外部接続導体３６を接続するようにしたため、導電性の露出部あるいは充電露出部を無くすことができ、安全性の高い真空スイッチギヤを提供することができる。
【００５２】
また接続導体３２とケーブル３８ａ〜３８ｉおよび外部接続導体３６のケーブルヘッド２８との接続部をそれぞれ同一形状にしたため、接続導体３２、ケーブル３８ａ〜３８ｉ、外部接続導体３６を回路仕様に合わせて任意のケーブルヘッド２８に接続することができる。
【００５３】
また、本実施形態によれば、ガス絶縁ユニットのように高圧ガスに耐え得るための容器を必要としないため、真空容器を小型化することができ、結果として真空スイッチギヤを小型化することができ、システム全体の小型化に寄与することが可能になる。
【図面の簡単な説明】
【００５４】
【図１】本発明に係る真空スイッチギヤシステムを用いた受配電設備の内部構成図であって、（ａ）は正面側内部構成図、（ｂ）は側面側内部構成図である。
【図２】図１に示す受配電設備の回路構成図である。
【図３】図１に示す受配電設備の正面図である。
【図４】（ａ）Ａタイプの真空スイッチギヤの正面断面図、（ｂ）は同じく側面断面図である。
【図５】ケーブルヘッドと、接続導体およびケーブルとの関係を説明するための図である。
【図６】（ａ）Ｃタイプ真空スイッチギヤの正面断面図、（ｂ）同じく側面断面図である。
【図７】（ａ）Ｂタイプの真空スイッチギヤの正面断面図、（ｂ）は同じく側面断面図である。
【図８】（ａ）Ｄタイプ真空スイッチギヤの正面断面図、（ｂ）同じく側面断面図である。
【図９】本発明による１回線用スイッチギヤシステムの接続スケルトンである。
【図１０】本発明によるループ受電用真空スイッチギヤシステムの主回路―補助回線のスケルトンである。
【符号の説明】
【００５５】
１０…トランス、１２…受電側配電盤、１４…送電側配電盤、１６、１８、２０、２２…真空スイッチギヤ、２４、３０、４０、４２…真空容器、２６…操作器、２６ａ…操作ロッド、２８…ケーブルヘッド、３２…接続導体、３６…外部接続導体、３８ａ〜３８ｉ…ケーブル、４４…負荷開閉器、４６…接地用開閉器、４８…遮断器、５０、５２、５４、５６、５８、６０、６２…内部導体、６４…フレキシブル導体。
【図１】
2005210886.tif 000003
【図２】
2005210886.tif 000004
【図３】
2005210886.tif 000005
【図４】
2005210886.tif 000006
【図５】
2005210886.tif 000007
【図６】
2005210886.tif 000008
【図７】
2005210886.tif 000009
【図８】
2005210886.tif 000010
【図９】
2005210886.tif 000011
【図１０】
2005210886.tif 000012